【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
アンライセンススペクトル上での通信信号の送信のためのコンポーネントキャリアのセットを識別することと、
ユーザ機器（ＵＥ）によって、コンポーネントキャリアの前記セットのうちの少なくとも１つのコンポーネントキャリアについてのクリアチャネルアセスメント（ＣＣＡ）を、コンポーネントキャリアの前記セットのうちの異なるコンポーネントキャリアについてのＣＣＡとは異なる時間に起こるようにスタガリングすることと、
を備える方法。
【請求項２】
複数の基地局間でコンポーネントキャリアの前記セットの各々についてのＣＣＡを同期させることをさらに備える、請求項１に記載の方法。
【請求項３】
前記スタガリングすることは、好ましくはシステム情報ブロック（ＳＩＢ）またはＲＲＣ構成／再構成メッセージ中で、ネットワーク構成の一部として前記ＵＥによって受信されたスタガリングオフセットに従ってコンポーネントキャリアの前記セットのＣＣＡをスタガリングすることを備える、請求項１または２に記載の方法。
【請求項４】
前記スタガリングすることは、コンポーネントキャリアの前記セットのうちの少なくとも１つのコンポーネントキャリアについての一連のＣＣＡを、コンポーネントキャリアの前記セットのうちの少なくとも１つの他のものについての一連のＣＣＡとは異なる時間に起こるようにスタガリングすることを備える、請求項１に記載の方法。
【請求項５】
各コンポーネントキャリア上で送信される前記通信信号は、複数のフレームを備え、前記複数のフレームの各々はＣＣＡサブフレームを含み、ここで、前記スタガリングすることは、
各コンポーネントキャリアについてＣＣＡサブフレームとして異なるサブフレームを選択することを備える、請求項１に記載の方法。
【請求項６】
コンポーネントキャリアの前記セットが、前記アンライセンススペクトル上で送信される、２以上のセカンダリダウンリンク（ＳＤＬ）キャリア、キャリアアグリゲーション（ＣＡ）キャリア、またはスタンドアロン（ＳＡ）キャリアを備え、各コンポーネントキャリアが、前記コンポーネントキャリアのうちの２以上が異なるＴＤＤアップリンク／ダウンリンク（ＵＬ／ＤＬ）構成を有する、時分割複信（ＴＤＤ）送信スキームに従って、前記通信信号を送信するように構成される、請求項１に記載の方法。
【請求項７】
前記少なくとも１つのコンポーネントキャリアについてのクリアチャネルアセスメント免除送信（ＣＥＴ）を、コンポーネントキャリアの前記セットのうちの前記異なるコンポーネントキャリアについてのＣＥＴとは異なる時間に起こるようにスタガリングすることをさらに備える、請求項１に記載の方法。
【請求項８】
第１のコンポーネントキャリア上で通信信号を送信することと、
前記第１のコンポーネントキャリア上で前記通信信号を送信しながら、ＣＣＡについて第２のコンポーネントキャリア上で受信信号を測定することと、
をさらに備える、請求項１に記載の方法。
【請求項９】
コンポーネントキャリアの前記セットが、第１の周波数において実質的に送信される第１のコンポーネントキャリアと、第２の周波数において実質的に送信される第２のコンポーネントキャリアとを備え、前記第１の周波数および前記第２の周波数が同じ周波数帯または異なる周波数帯に属し、前記スタガリングすることが、前記第１のコンポーネントキャリアおよび前記第２のコンポーネントキャリアのＣＣＡを異なる時間に起こるようにスタガリングすることを備える、請求項１に記載の方法。
【請求項１０】
ワイヤレス通信のための方法であって、
アンライセンススペクトル上で送信されるコンポーネントキャリアのセットにおいて通信信号を受信することと、
コンポーネントキャリアの前記セットのうちの少なくとも１つのコンポーネントキャリアについてのクリアチャネルアセスメント（ＣＣＡ）がコンポーネントキャリアの前記セットのうちの別のコンポーネントキャリアについてのＣＣＡとは異なる時間に起こることを示す、スタガリング情報を受信することと、
ユーザ機器（ＵＥ）によって、前記スタガリング情報に従ってＣＣＡ動作を実施することと、
を備える方法。
【請求項１１】
コンポーネントキャリアの前記セットの各コンポーネントキャリアについてのＣＣＡがスタガリングオフセットに従ってスタガリングされ、前記スタガリングオフセットは、好ましくはシステム情報ブロック（ＳＩＢ）またはＲＲＣ構成／再構成メッセージ中で基地局から受信される、請求項１０に記載の方法。
【請求項１２】
各コンポーネントキャリア上で送信された通信信号が、複数のフレームを備え、前記複数のフレームの各々がＣＣＡサブフレームを備え、前記スタガリング情報が、各コンポーネントキャリアについて異なるサブフレームを前記ＣＣＡサブフレームとして識別する、請求項１０に記載の方法。
【請求項１３】
コンポーネントキャリアの前記セットが、第１の周波数で実質的に送信される第１のコンポーネントキャリアと、前記第１の周波数とは異なる周波数帯に属する第２の周波数において実質的に送信される第２のコンポーネントキャリアとを備え、前記第１のコンポーネントキャリアおよび前記第２のコンポーネントキャリアのＣＣＡが異なる時間に起こるようにスタガリングされる、請求項１０に記載の方法。
【請求項１４】
請求項１〜９のいずれか一項に記載の方法を実施するための手段を備える、ワイヤレス通信のための装置。
【請求項１５】
請求項１０〜１３のいずれか一項に記載の方法を実施するための手段を備える、ワイヤレス通信のための装置。
【手続補正２】
【補正対象書類名】明細書
【補正対象項目名】０１０３
【補正方法】変更
【補正の内容】
【０１０３】
[0114]  本開示の先の説明は、当業者に本開示の製造または使用を可能にするように提供される。本開示に対する様々な修正は、当業者にとって容易に明らかとなり、本明細書において定義された包括的な原理は、本開示の精神または範囲から逸脱することなしに他の変形例に適用されうる。本開示を通して、用語「例（example）」あるいは「例示的（exemplary）」は、例あるいは実例を示すものであり、言及された例に対するいかなる選好を暗に示すものでも必要とするものでもない。よって、本開示は、本明細書で説明された例および設計に限定されるように意図されたものではなく、本明細書で開示された原理および新規な特徴と一致する最も広い範囲が付与されるべきである。
以下に、本願の出願当初の特許請求の範囲に記載された発明を付記する。
［Ｃ１］
ワイヤレス通信のための方法であって、
アンライセンススペクトル上での通信信号の送信のためのコンポーネントキャリアのセットを識別することと、
コンポーネントキャリアの前記セットのうちの少なくとも１つのコンポーネントキャリアについてのクリアチャネルアセスメント（ＣＣＡ）を、コンポーネントキャリアの前記セットのうちの異なるコンポーネントキャリアについてのＣＣＡとは異なる時間に起こるようにスタガリングすることと、
を備える方法。
［Ｃ２］
複数の基地局間でコンポーネントキャリアの前記セットの各々についてのＣＣＡを同期させることをさらに備える、Ｃ１に記載の方法。
［Ｃ３］
前記スタガリングすることは、ネットワーク構成の一部として受信されたスタガリングオフセットに従ってコンポーネントキャリアの前記セットのＣＣＡをスタガリングすることを備える、Ｃ２に記載の方法。
［Ｃ４］
システム情報ブロック（ＳＩＢ）またはＲＲＣ構成／再構成メッセージ中でユーザ機器（ＵＥ）に前記スタガリングオフセットを送信することをさらに備える、Ｃ３に記載の方法。
［Ｃ５］
前記スタガリングすることは、コンポーネントキャリアの前記セットのうちの少なくとも１つのコンポーネントキャリアについての一連のＣＣＡを、コンポーネントキャリアの前記セットのうちの少なくとも１つの他のものについての一連のＣＣＡとは異なる時間に起こるようにスタガリングすることを備える、Ｃ１に記載の方法。
［Ｃ６］
各コンポーネントキャリア上で送信される前記通信信号は、複数のフレームを備え、前記複数のフレームの各々はＣＣＡサブフレームを含み、ここで、前記スタガリングすることは、
各コンポーネントキャリアについてＣＣＡサブフレームとして異なるサブフレームを選択することを備える、Ｃ１に記載の方法。
［Ｃ７］
コンポーネントキャリアの前記セットが、前記アンライセンススペクトル上で送信される、２以上のセカンダリダウンリンク（ＳＤＬ）キャリア、キャリアアグリゲーション（ＣＡ）キャリア、またはスタンドアロン（ＳＡ）キャリアを備え、各コンポーネントキャリアが、前記コンポーネントキャリアのうちの２以上が異なるＴＤＤアップリンク／ダウンリンク（ＵＬ／ＤＬ）構成を有する、時分割複信（ＴＤＤ）送信スキームに従って、前記通信信号を送信するように構成される、Ｃ１に記載の方法。
［Ｃ８］
前記少なくとも１つのコンポーネントキャリアについてのクリアチャネルアセスメント免除送信（ＣＥＴ）を、コンポーネントキャリアの前記セットのうちの前記異なるコンポーネントキャリアについてのＣＥＴとは異なる時間に起こるようにスタガリングすることをさらに備える、Ｃ１に記載の方法。
［Ｃ９］
第１のコンポーネントキャリア上で通信信号を送信することと、
前記第１のコンポーネントキャリア上で前記通信信号を送信しながら、ＣＣＡについて第２のコンポーネントキャリア上で受信信号を測定することと、
をさらに備える、Ｃ１に記載の方法。
［Ｃ１０］
コンポーネントキャリアの前記セットが、第１の周波数において実質的に送信される第１のコンポーネントキャリアと、第２の周波数において実質的に送信される第２のコンポーネントキャリアとを備え、前記第１の周波数および前記第２の周波数が異なる周波数帯に属し、前記スタガリングすることが、前記第１のコンポーネントキャリアおよび前記第２のコンポーネントキャリアのＣＣＡを異なる時間に起こるようにスタガリングすることを備える、Ｃ１に記載の方法。
［Ｃ１１］
前記第１の周波数および前記第２の周波数は、同じ周波数帯の隣接していない周波数であり、前記スタガリングすることは、前記第１のコンポーネントキャリアおよび前記第２のコンポーネントキャリアのＣＣＡを異なる時間に起こるようにスタガリングすることを備える、Ｃ１０に記載の方法。
［Ｃ１２］
ワイヤレス通信のための方法であって、
アンライセンススペクトル上で送信されるコンポーネントキャリアのセットにおいて通信信号を受信することと、
コンポーネントキャリアの前記セットのうちの少なくとも１つのコンポーネントキャリアについてのクリアチャネルアセスメント（ＣＣＡ）がコンポーネントキャリアの前記セットのうちの別のコンポーネントキャリアについてのＣＣＡとは異なる時間に起こることを示す、スタガリング情報を受信することと、
前記スタガリング情報に従ってＣＣＡ動作を実施することとを備える、
方法。
［Ｃ１３］
コンポーネントキャリアの前記セットの各コンポーネントキャリアについてのＣＣＡがスタガリングオフセットに従ってスタガリングされる、Ｃ１２に記載の方法。
［Ｃ１４］
前記受信することは、システム情報ブロック（ＳＩＢ）またはＲＲＣ構成／再構成メッセージ中で基地局からスタガリングオフセットを受信することを備える、Ｃ１３に記載の方法。
［Ｃ１５］
各コンポーネントキャリア上で送信された通信信号が、複数のフレームを備え、前記複数のフレームの各々がＣＣＡサブフレームを備え、前記スタガリング情報が、各コンポーネントキャリアについて異なるサブフレームを前記ＣＣＡサブフレームとして識別する、Ｃ１２に記載の方法。
［Ｃ１６］
コンポーネントキャリアの前記セットが、前記アンライセンススペクトル上で送信される２以上のセカンダリダウンリンク（ＳＤＬ）キャリアを備える、Ｃ１２に記載の方法。
［Ｃ１７］
コンポーネントキャリアの前記セットが、第１の周波数で実質的に送信される第１のコンポーネントキャリアと、前記第１の周波数とは異なる周波数帯に属する第２の周波数において実質的に送信される第２のコンポーネントキャリアとを備え、前記第１のコンポーネントキャリアおよび前記第２のコンポーネントキャリアのＣＣＡが異なる時間に起こるようにスタガリングされる、Ｃ１２に記載の方法。
［Ｃ１８］
コンポーネントキャリアの前記セットが、第１の周波数において実質的に送信される第１のコンポーネントキャリアと、前記第１の周波数と同じ周波数帯に属する第２の周波数において実質的に送信される第２のコンポーネントキャリアとを備え、
前記第１のコンポーネントキャリアおよび前記第２のコンポーネントキャリアのＣＣＡが同期され、
コンポーネントキャリアの前記セットのうちの１つまたは複数の他のコンポーネントキャリアについての１つまたは複数のＣＣＡが、前記第１のコンポーネントキャリアおよび前記第２のコンポーネントキャリアの前記同期されたＣＣＡとは異なる時間に起こるようにスタガリングされる、Ｃ１２に記載の方法。
［Ｃ１９］
ワイヤレス通信のための装置であって、
アンライセンススペクトル上での通信信号の送信のためにコンポーネントキャリアのセットを識別する手段と、
コンポーネントキャリアの前記セットのうちの少なくとも１つのコンポーネントキャリアについてのクリアチャネルアセスメント（ＣＣＡ）を、コンポーネントキャリアの前記セットのうちの異なるコンポーネントキャリアについてのＣＣＡとは異なる時間に起こるようにスタガリングする手段と、
を備える装置。
［Ｃ２０］
複数の基地局間でコンポーネントキャリアの前記セットの各々についてＣＣＡを同期させる手段と、
ネットワーク構成の一部として受信されたスタガリングオフセットに従ってコンポーネントキャリアの前記セットの前記ＣＣＡをスタガリングする手段と、
をさらに備える、Ｃ１９に記載の装置。
［Ｃ２１］
コンポーネントキャリアの前記セットのうちの少なくとも１つのコンポーネントキャリアについての一連のＣＣＡが、コンポーネントキャリアの前記セットのうちの少なくとも１つの他のものについての一連のＣＣＡとは異なる時間に起こるようにスタガリングする手段をさらに備える、Ｃ１９に記載の装置。
［Ｃ２２］
各コンポーネントキャリア上で送信される前記通信信号が複数のフレームを備え、前記複数のフレームの各々がＣＣＡサブフレームを含み、そして、
前記コンポーネントキャリアの各々について前記ＣＣＡサブフレームとして異なるサブフレームを選択する手段をさらに備える、Ｃ１９に記載の装置。
［Ｃ２３］
コンポーネントキャリアの前記セットが、前記アンライセンススペクトル上で送信される、２以上のセカンダリダウンリンク（ＳＤＬ）キャリア、キャリアアグリゲーション（ＣＡ）またはスタンドアロン（ＳＡ）キャリアを備え、各コンポーネントキャリアが、前記コンポーネントキャリアのうちの２以上が異なるＴＤＤアップリンク／ダウンリンク（ＵＬ／ＤＬ）構成を有する、時分割複信（ＴＤＤ）送信スキームに従って、通信信号を送信するように構成される、Ｃ１９に記載の装置。
［Ｃ２４］
前記少なくとも１つのコンポーネントキャリアについてのクリアチャネルアセスメント免除送信（ＣＥＴ）を、コンポーネントキャリアの前記セットのうちの前記異なるコンポーネントキャリアについてのＣＥＴとは異なる時間に起こるようにスタガリングする手段をさらに備える、Ｃ１９に記載の装置。
［Ｃ２５］
第１のコンポーネントキャリア上で通信信号を送信し、前記第１のコンポーネントキャリア上で前記通信信号を送信しながらＣＣＡについて第２のコンポーネントキャリア上で受信信号を測定する、手段をさらに備える、Ｃ１９に記載の装置。
［Ｃ２６］
ワイヤレス通信のための装置であって、
アンライセンススペクトル上で送信されるコンポーネントキャリアのセット上で通信信号を受信する手段と、
コンポーネントキャリアの前記セットのうちの少なくとも１つのコンポーネントキャリアについてのクリアチャネルアセスメント（ＣＣＡ）が、コンポーネントキャリアの前記セットのうちの別のコンポーネントキャリアについてのＣＣＡとは異なる時間に起こることを示す、スタガリング情報を受信する手段と、
前記スタガリング情報に従ってＣＣＡ動作を実施する手段と、
を備える装置。
［Ｃ２７］
コンポーネントキャリアの前記セットの各コンポーネントキャリアについてのＣＣＡがスタガリングオフセットに従ってスタガリングされる、Ｃ２６に記載の装置。
［Ｃ２８］
前記スタガリングオフセットが、システム情報ブロック（ＳＩＢ）またはＲＲＣ構成／再構成メッセージ中で基地局から受信される、Ｃ２７に記載の装置。
［Ｃ２９］
各コンポーネントキャリア上で送信される前記通信信号が複数のフレームを備え、前記複数のフレームの各々がＣＣＡサブフレームを備え、前記スタガリング情報が、各コンポーネントキャリアについて異なるサブフレームを前記ＣＣＡサブフレームとして識別する、Ｃ２６に記載の装置。
［Ｃ３０］
コンポーネントキャリアの前記セットが、前記アンライセンススペクトル上で送信される、２以上のセカンダリダウンリンク（ＳＤＬ）、キャリアアグリゲーション（ＣＡ）キャリア、またはスタンドアロング（ＳＡ）キャリアを備える、Ｃ２６に記載の装置。